(57)【特許請求の範囲】
【請求項１】
吸込口から吸い込まれた空気が流れる吸込流路と、
気化させる水を散布する散布部と、
前記散布部が散布した水の気化熱により冷却される第１空気が流れる第１流路と、
前記第１空気と、前記吸込流路に流れる空気との間で熱交換させ、前記吸込流路に流れる空気を冷却する熱交換器と
前記吸込流路における前記熱交換器の下流側に設けられ、前記吸込流路を、前記第１流路と、被空調空間に吹き出される第２空気が流れる第２流路とを含む２つ以上の流路に分岐する分岐機構とを備え、
前記分岐機構は、前記吸込流路に流れる空気を分流させて、前記第１流路及び前記第２流路に送風する送風部を含む
ことを特徴とする空調機。
【請求項２】
前記散布部は、前記熱交換器よりも上方に設けられており、
前記分岐機構によって分岐された前記第１流路は、前記散布部に向かって延設され、
前記分岐機構によって分岐された前記第２流路は、前記第１流路とは異なる方向に向かって延設されている
ことを特徴とする請求項１に記載の空調機。
【請求項３】
前記分岐機構は、前記熱交換器よりも上方に設けられており、
前記分岐機構によって分岐された前記第１流路は、前記散布部に向かって延設され、
前記分岐機構によって分岐された前記第２流路は、前記第１流路とは異なる方向に向かって延設されている
ことを特徴とする請求項１又は請求項２に記載の空調機。
【請求項４】
前記吸込流路は、前記吸込口から吸い込まれた空気の流れ方向において下方から上方に向かって設けられ、
前記第１流路は、前記第１空気の流れ方向において上方から下方に向かって設けられ、
前記分岐機構は、前記吸込流路及び前記第１流路による折り返し地点に設けられている
ことを特徴とする請求項１から請求項３のいずれか１項に記載の空調機。
【請求項５】
前記送風部は、遠心ファンである
ことを特徴とする請求項１から請求項４のいずれか１項に記載の空調機。
【請求項６】
前記送風部は、前記第１流路に送風する第１ファン及び、前記第２流路に送風する第２ファンを含む
ことを特徴とする請求項１から請求項５のいずれか１項に記載の空調機。
【請求項７】
前記第１ファン及び前記第２ファンは、吹出部を備えるターボファンであり、
前記第１ファンの吹出部と、前記第２ファンの吹出部とは、異なる方向に向けられている
ことを特徴とする請求項６に記載の空調機。
【請求項８】
前記送風部は、単一の遠心ファンから成り、
前記分岐機構は、前記単一の遠心ファンから吹き出された空気を前記第１流路と前記第２流路とに分岐する分岐壁を含む
ことを特徴とする請求項１から請求項５のいずれか１項に記載の空調機。
【発明の詳細な説明】
【技術分野】
【０００１】
本発明は、空調機に関する。
【背景技術】
【０００２】
室内の空気を吸い込み、水の気化熱を利用し雰囲気温度を低下させて冷却した空気を、室内に吹き出す気化冷却式の空調機が知られている（例えば特許文献１）。特許文献１の空調機（冷風扇）は、ケーシング内に配置された送風手段と、吸込口と第１吹出口とを連通し、送風手段によって発生した空気流を第１吹出口に導く第１流路と、吸込口と第２吹出口とを連通し、送風手段によって発生した空気流を第２吹出口に導く第２流路と、第２流路に配置され、水の気化熱により第２流路を流れる空気を冷却する気化手段とを備え、第２流路の気化手段によって冷却された空気流と第１流路を流れる空気流との間で熱交換を行う熱交換器が設けられている。気化手段が備えられている第２流路において、気化手段の下流側には、気化手段によって散布された霧状の水（未蒸発の散布水）及び、気化した水（蒸発した散布水）により絶対湿度が増加した空気が流れる。この湿度が増加した空気は、第２流路の出口となる第２吹出口から排気として吹き出される。熱交換器を介して冷却された第１流路を流れる空気流は、第１吹出口から給気として被空調空間に吹き出される。
【０００３】
特許文献１の空調機は、更に第１流路を流れる空気流と、前記第２流路を流れる空気流との分配量を調整する分配量調整手段を備え、当該配量調整手段は、吸込口と熱交換器との間に設けられている。
【先行技術文献】
【特許文献】
【０００４】
【特許文献１】特開２０１４−０９２３３８号公報
【発明の概要】
【発明が解決しようとする課題】
【０００５】
特許文献１の空調機は、送風手段（ファン）及び分配量調整手段が第１流路（給気経路）の流れ方向において熱交換器の上流側に設けられているため、吸込口から吸い込まれた空気が熱交換器に流入する前に第１流路及び第２流路に分配されるものとなる。従って、熱交換器におけるいずれかの流路に、吸込口から吸い込まれた空気が流入するにあたり、これら流路夫々に流入する空気の偏流が発生し、冷却能力が減少することが懸念される。
【０００６】
本発明は斯かる事情に鑑みてなされたものであり、冷却能力を向上させることができる空調機を提供することを目的とする。
【課題を解決するための手段】
【０００７】
本開示の一態様に係る空調機は、吸込口から吸い込まれた空気が流れる吸込流路と、
気化させる水を散布する散布部と、
前記散布部が散布した水の気化熱により冷却される第１空気が流れる第１流路と、
前記第１空気と、前記吸込流路に流れる空気との間で熱交換させ、前記吸込流路に流れる空気を冷却する熱交換器と
前記吸込流路における前記熱交換器の下流側に設けられ、前記吸込流路を、前記第１流路と、被空調空間に吹き出される第２空気が流れる第２流路とを含む２つ以上の流路に分岐する分岐機構とを備え、
前記分岐機構は、前記吸込流路に流れる空気を分流させて、前記第１流路及び前記第２流路に送風する送風部を含むことを特徴とする。
【０００８】
本態様にあたっては、送風部を含む分岐機構及び、被空調空間に吹き出される第２空気が流れる第２流路は、熱交換器よりも下流側に設けられている。従って、吸込口から吸い込まれた空気は、分流されることなく、すなわち偏流が発生することなく、全て熱交換器内の吸込流路、すなわち吸込経路に流入されるものとなり、冷却能力を向上させることができる。散布部が散布した水の気化熱により冷却される第１空気は、分岐機構によって、吸込流路に流れる空気から分流された空気である。吸込流路に流れる空気は、熱交換器によって冷却され、吸込口から吸い込まれた直後の空気、すなわち被空調空間の室内空気よりも低温となっている。このように吸込流路を流れ、熱交換器によって冷却した空気を分流した第１空気を用いて、散布部が散布した水の気化熱により冷却することにより、当該第１空気の温度を効率的に低下させることができ、冷却能力を向上させることができる。吸込流路を第１流路及び第２流路に分岐する分岐機構は、送風部を含み当該送風部と一体化することにより、編流の発生を低減することができ、冷却能力を向上させることができる。
【０００９】
本開示の一態様に係る空調機は、前記散布部は、前記熱交換器よりも上方に設けられており、
前記分岐機構によって分岐された前記第１流路は、前記散布部に向かって延設され、
前記分岐機構によって分岐された前記第２流路は、前記第１流路とは異なる方向に向かって延設されていることを特徴とする。
【００１０】
本態様にあたっては、散布部を熱交換器よりも上方に設けることにより、散布部から散布した水を、重力によって下方に位置する熱交換器に散布することができる。そして、散布部に向かって延設される第１流路と、第２流路とを異なる方向に向かって延設させることにより、吸込流路に流れる空気の分流を効率的に行うことができる。
【００１１】
本開示の一態様に係る空調機は、前記分岐機構は、前記熱交換器よりも上方に設けられており、
前記分岐機構によって分岐された前記第１流路は、前記散布部に向かって延設され、
前記分岐機構によって分岐された前記第２流路は、前記第１流路とは異なる方向に向かって延設されていることを特徴とする。
【００１２】
本態様にあたっては、分岐機構を熱交換器よりも上方に設けることにより、分岐機構により分流された第１空気の風速が低減することを抑制して、当該第１空気を熱交換器に流入させることができる。
【００１３】
本開示の一態様に係る空調機は、前記吸込流路は、前記吸込口から吸い込まれた空気の流れ方向において下方から上方に向かって設けられ、
前記第１流路は、前記第１空気の流れ方向において上方から下方に向かって設けられ、
前記分岐機構は、前記吸込流路及び前記第１流路による折り返し地点に設けられていることを特徴とする。
【００１４】
本態様にあたっては、分岐機構は、下方から上方に向かって設けられる吸込流路と、上方から下方に向かって設けられる第１流路とによる折り返し地点に設けられているため、分岐機構に含まれる送風部によって、当該折り返し地点における圧力損失を低減することができる。
【００１５】
本開示の一態様に係る空調機は、前記送風部は、遠心ファンである。
【００１６】
本態様にあたっては、送風部として遠心ファンを用いることにより、圧力損失の発生を抑制しつつ、吸込流路を流れ、分岐機構に流入した空気の風向きを変化させ、第１流路に流れる第１空気と、第２流路に流れる第２空気とに効率的に分流することができる。
【００１７】
本開示の一態様に係る空調機は、前記送風部は、前記第１流路に送風する第１ファン及び、前記第２流路に送風する第２ファンを含むことを特徴とする。
【００１８】
本態様にあたっては、送風部は、第１流路に送風する第１ファン及び、第２流路に送風する第２ファンを含むため、吸込流路から分岐機構に流入した空気を、効率的に第１流路及び第２流路に分流することができる。
【００１９】
本開示の一態様に係る空調機は、前記第１ファン及び前記第２ファンは、吹出部を備えるターボファンであり、
前記第１ファンの吹出部と、前記第２ファンの吹出部とは、異なる方向に向けられていることを特徴とする。
【００２０】
本態様にあたっては、第１ファン及び第２ファンとしてターボファンを用い、吹き出し方向における指向性が高いターボファンの夫々の吹出部、すなわち第１ファンの吹出部及び第２ファンの吹出部を異なる方向に向けることにより、分岐機構に流入した空気を効率的に第１流路及び第２流路に分流することができる。
【００２１】
本開示の一態様に係る空調機は、前記送風部は、単一の遠心ファンから成り、
前記分岐機構は、前記単一の遠心ファンから吹き出された空気を前記第１流路と前記第２流路とに分岐する分岐壁を含むことを特徴とする。
【００２２】
本態様にあたっては、分岐機構は単一の遠心ファンにより構成されるため、分岐機構の構造を簡素化し、空調機の部品点数を削減することができる。分岐機構は、当該遠心ファンから吹き出された空気を第１流路と第２流路とに分岐されるための分岐壁を含むため、分岐機構に流入した空気を効率的に第１流路及び第２流路に分流することができる。
【発明の効果】
【００２３】
空調機の冷却能力を向上させることができる。
【図面の簡単な説明】
【００２４】
【図１】実施形態１に係る空調機の一構成例を示す模式的側断面図である。
【図２】空調機の外観を示す斜視図である。
【図３】分岐機構の要部を示す説明図である。
【図４】実施形態２に係る分岐機構（単一のターボファン及び分岐壁）の要部を示す説明図である。
【発明を実施するための形態】
【００２５】
（実施形態１）
以下、実施の形態について、図面に基づいて説明する。図１は、実施形態１に係る空調機１の一構成例を示す模式的側断面図である。図２は、空調機１の外観を示す斜視図である。空調機１は、箱状の筐体１５を備え、当該筐体１５の底部に設けられたキャスター１５１によって、例えば工場等の被空調空間の床面に載置される。図１に示す空調機１の載置状態を、当該空調機１の通常の使用態様として上下左右を示す。なお、図１は、図２におけるＡ−Ａ´線による断面を、図２上にて左側から模式的に示したものである。
【００２６】
空調機１は、顕熱交換器２及び散布部１６を備え、散布部１６から散布した散布水の気化熱を用いて雰囲気温度を低下させ、被空調空間を冷却するものであり、例えば間接気化冷却式の空調機１である。
【００２７】
空調機１の筐体１５には、被空調空間の空気を吸い込む吸込口５１、散布水の気化熱により直接的に冷却された空気を吹き出す第１吹出口３１及び、顕熱交換器２を介して第１空気と熱交換することにより冷却され、被空調空間を冷却するための空気を被空調空間に吹き出す第２吹出口４１が、設けられている。第１空気は排気と同義であり、第２空気は給気と同義である。また、第１吹出口３１は排気吹出口に相当し、第２吹出口４１は、給気吸出口に相当する。
【００２８】
空調機１には、散布部１６から散布される散布水の気化熱により直接的に冷却される第１空気が流れる第１流路３と、吸込口５１から吸い込まれ、当該冷却された第１空気と熱交換することにより冷却される空気が流れる吸込流路５とが、設けられている。空調機１は、当該吸込流路５を、第１流路３及び第２流路４に分岐する分岐機構６を備える。分岐機構６は、送風部として機能する第１ファン６１及び第２ファン６２を含み、吸込流路５に流れる吸込空気を、第１流路３に流れる第１空気と、第２流路４に流れる第２空気とに分流する。分岐機構６の詳細は後述する。
【００２９】
吸込流路５は、吸込口５１と分岐機構６との間に設けられる流路であり、後述する顕熱交換器２の吸込経路２２を含む。吸込口５１の近傍となる吸込流路５には、例えばポリエステル又はオレフィン系繊維により形成されるフィルタ５２が設けられている。フィルタ５２は、吸込口５１から吸い込む空気内の塵埃を捕集し、当該塵埃が、顕熱交換器２の吸込経路２２に侵入することを防止する。
【００３０】
第１流路３は、分岐機構６と第１吹出口３１との間に設けられる流路であり、後述する顕熱交換器２の第１経路２１を含む。第２流路４は、分岐機構６と第２吹出口４１との間に設けられる流路である。
【００３１】
顕熱交換器２は、吸込流路５の少なくとも一部を構成する吸込経路２２と、第１流路３の少なくとも一部を構成する第１経路２１を含む。顕熱交換器２は、例えばアルミニウム等の金属製又は樹脂製の箱状のケースを備え、当該ケースの外周面には断熱部材を設けることにより、顕熱交換器２の内部に流れる第１空気又は吸込空気と、顕熱交換器２の周辺空気との間の熱交換を制限するものであってもよい。
【００３２】
顕熱交換器２に形成されている第１経路２１及び吸込流路５は、例えば、第１空気又は吸込空気が流れる中空構造を有する金属プレートを複数個、並列に設けることにより構成される。当該中空構造を有する金属プレートは、例えば複数枚のフィンにより構成されるもの又は、扁平管であってもよい。例えば、当該プレートは、伝熱性の良い金属であるアルミニウム、銅等又は、これらを主成分とする合金で形成することで、顕熱交換の効率を向上させることができる。第１経路２１及び吸込経路２２は、これら中空構造を有する複数の金属プレート夫々により、複数並んで形成される。
【００３３】
吸込空気の流れ方向において、顕熱交換器２の吸込経路２２の入口は、顕熱交換器２の下方の左側面に設けられており、吸込経路２２の出口は、顕熱交換器２の上方の右側面に設けられている。従って、顕熱交換器２の吸込経路２２は、左下方の入口から右上方の出口まで連通するクランク状に形成されている。図２において、吸込経路２２は逆Ｚ状に形成されている。
【００３４】
第１空気の流れ方向において、顕熱交換器２の第１経路２１の入口は、顕熱交換器２の上方に設けられており、顕熱交換器２の第１経路２１の出口は、顕熱交換器２の下方に設けられている。従って、顕熱交換器２の第１経路２１は、上方から下方に向かって、直線状に形成されている。
【００３５】
顕熱交換器２内において、第１経路２１を流れる第１空気は上方から下方に向かって流れ、吸込経路２２を流れる吸込空気は下方から上方に向かって流れるため、第１空気及び吸込空気の流れは、互いに逆方向となる対向流を形成している。
【００３６】
顕熱交換器２の第１経路２１の入口の上方には、散布部１６が設けられており、散布部１６から散布された霧状の水が気化する際の気化熱により、第１経路２１に流れる第１空気は冷却される。顕熱交換器２によって、吸込経路２２を流れる吸込空気と、第１経路２１を流れる第１空気とは、熱交換され、吸込空気は第１空気によって冷却される。第１空気及び吸込空気の流れは対向流を形成するため、顕熱交換器２における熱交換率を向上させることができる。
【００３７】
吸込口５１を介して披空調空間から吸い込まれた吸込空気は、フィルタ５２を通過した後、顕熱交換器２の吸込経路２２に流入する。顕熱交換器２の吸込経路２２に流入した吸込空気は、顕熱交換器２を介して第１空気と熱交換することにより、冷却される。冷却され、顕熱交換器２の吸込経路２２を通過した吸込空気は、吸込経路２２の下流側に位置する分岐機構６の分岐室６３内に流入する。
【００３８】
分岐機構６に流入した吸込空気は、第１流路３を流れる第１空気と、第２流路４を流れる第２空気とに分流される。第２流路４を流れる第２空気は、第２吹出口４１（給気吹出口）から被空調空間に吹き出され、被空調空間を冷却する。第１流路３を流れる第１空気は、顕熱交換器２の第１経路２１に流入する。
【００３９】
第１経路２１に流入した第１空気は、上述のとおり散布部１６から散布された散布水の気化熱により、更に冷却される。第１経路２１を流れる第１空気は、顕熱交換器２を介して、吸込経路２２を流れる吸込空気と熱交換することにより、当該吸込空気は冷却される。吸込空気を分流して第１空気とすることにより、実質的に第１空気を二段階で冷却することができ、当該第１空気の温度を効率的に低下させることができる。すなわち、第１空気を２段階にて冷却することにより、吸込空気を気化熱により直接的に冷却するのみの場合よりも、更に低温に冷却することができる。
【００４０】
被空調空間に吹き出される第２空気は、吸込空気を分流したものであり、吸込空気は顕熱交換器２を介して第１空気により冷却される。上述のとおり第１空気は２段階にて冷却され更に低温となっているため、当該第１空気により冷却される吸込空気を効率的に冷却し、このように冷却された吸込空気を分流した第２空気を、被空調空間に吹き出し、給気することができる。
【００４１】
顕熱交換器２の第１経路２１を通過した第１空気は、後述するドレンパン１３を通過した後、第１吹出口３１から被空調空間又は室外に吹き出されることにより排気される。
【００４２】
空調機１は、顕熱交換器２の下方に設けられたドレンパン１３、散布部１６から散布する散布水を保存するタンク１４、及びタンク１４内の水を散布部１６に供給するポンプ１１を備える。
【００４３】
ドレンパン１３は、上面に開口部を備えた例えば皿状の容器である。ドレンパン１３の底面には、タンク１４と連通するための連通路が設けられている。散布部１６から散布された散布水において、気化しなかった水又は、気化した後に凝縮した水は、顕熱交換器２の第１経路２１の内壁面を伝って下方に滴下し、ドレンパン１３にて保持される。ドレンパン１３内の水は、連通路を介してタンク１４内に流れ込む。
【００４４】
タンク１４は給水口（図示せず）を備え、給水口を介して、水道水がタンク１４内に補給される。タンク１４とポンプ１１とは、配管により連通しており、ポンプ１１が駆動することにより、タンク１４内の水は散布部１６に供給される。
【００４５】
ポンプ１１は、コントローラ１２から出力された制御信号により、駆動又は停止するように制御される。コントローラ１２は、制御部及び記憶部を含むマイコン等により構成され、空調機１の操作者の操作に基づき、ポンプ１１及び、送風部である第１ファン６１及び第２ファン６２の駆動又は停止の制御を行う。
【００４６】
散布部１６は、霧状の水を散布する散布ノズルを含み、当該散布ノズルは、配管及びポンプ１１を介してタンク１４と連通している。上述のとおり、ポンプ１１によってタンク１４内の水は、散布部１６に供給され、散布ノズルから顕熱交換器２の第１経路２１の入口に向かって、散布される。
【００４７】
空調機１は、電気部品１７１及び蓄電池１７２を含む電気装置１７を備える。電気装置１７は、顕熱交換器２の第１経路２１及びドレンパン１３を通過した後の第１流路３に隣接して、設けられている。換言すると、電気装置１７は、第１空気の流れ方向においてドレンパン１３の下流側から第１吹出口３１の間の第１流路３に隣接して設けられている。
【００４８】
電気部品１７１は、例えば、抵抗、コイル、キャパシタ又は半導体素子等、電圧が印加され、電流が流れることにより発熱する部品である。具体的には電気部品１７１は、これら部品が実装された制御基板又は電源基板等の回路基板を含む。電気部品１７１は、電装品箱等の箱体に収納されたものであってもよい。電気部品１７１は、コントローラ１２を含むものであってもよい。蓄電池１７２は、例えばリチウムイオン電池であり、空調機１が商用電源に接続されていない場合、送風部及びポンプ１１等の電気負荷に対し、電力を供給する。
【００４９】
図３は、分岐機構６を示す説明図である。分岐機構６は、送風部と、当該送風部として機能する第１ファン６１、および、第２ファン６２を収納する分岐室６３とを含む。図３においては、第１ファン６１および第２ファン６２が上下にあるように記載されているが、図３の奥行き方向に前後して並んでいてもよい。
【００５０】
分岐機構６は、吸込経路２２の下流側に位置する吸込流路５を、第１流路３及び第２流路４に分岐することにより、顕熱交換器２の吸込経路２２を通過した吸込空気を、第１流路３に流れる第１空気と、第２流路４に流れる第２空気とに分流する。従って、吸込流路５は、分岐室６３を介して、第１流路３と、第２流路４とに連通している。
【００５１】
第１ファン６１及び第２ファン６２は、例えばターボファン等の遠心ファンであり、中央に位置する吸込部６１１，６２１と、一方向に延びる吹出部６１２，６２２とを有する。吸込部６１１，６２１及び吹出部６１２，６２２は、ターボファンの外郭を成すシェル部材に設けられている。第１ファン６１及び第２ファン６２は、その一部が重なるように分岐室６３に設けられている。
【００５２】
第１ファン６１は、吹出部６１２を第１流路３に向けて設けられている。第１流路３には、散布部１６が設けられており、第１ファン６１の吹出部６１２は、散布部１６に向けられている。第１ファン６１は、分岐機構６に流入した吸込空気の一部を、第１空気として第１流路３に吹き出す。第１ファン６１から吹き出された第１空気は、第１流路３に設けられたガイド壁３２により散布部１６に案内される。
【００５３】
第２ファン６２は、吹出部６２２を第２流路４に向けて設けられている。第２流路４は、第２吹出口４１に連通しており、第２ファン６２の吹出部６２２は、第２吹出口４１に向いている。第２ファン６２は、分岐機構６に流入した吸込空気の一部を、第２空気として第２流路４に吹き出す。第２ファン６２から吹き出された第２空気は、第２吹出口４１から被空調空間に給気される。
【００５４】
ターボファンの吹出部６１２，６２２は、一方向に延びる形状をなし、ターボファンの吹出部６１２，６２２から吹き出された空気は、当該吹出部６１２，６２２の延設方向に向かう指向性を有する。従って、第１ファン６１は、吸込部６１１から吸込んだ吸込空気を、吹出部６１２から散布部１６に向けて効率的に吹き出すことができる。また、第２ファン６２は、吸込部６２１から吸込んだ吸込空気を、吹出部６２２から第２吹出口４１に向けて効率的に吹き出すことができる。
【００５５】
分岐機構６によって分岐された第１経路２１と、第２経路とは、互いに逆方向となるように異なる方向に向かって延設されている。同様に、第１ファン６１の吹出部６１２と、第２ファン６２の吹出部６２２は、互いに逆方向となるように異なる方向に向いている。
従って、第１ファン６１及び第２ファン６２により分流された第１空気及び第２空気を、第１経路２１及び第２経路を吹き出すにあたり、第１空気及び第２空気による干渉を抑制し、通風抵抗が発生することを低減することができる。
【００５６】
第１ファン６１及び第２ファン６２は、コントローラ１２と通信可能に接続されており、コントローラ１２から出力された制御信号に基づき、回転等の駆動又は、停止する。コントローラ１２は、空調機１の操作者から入力された操作内容に基づき、又はコントローラ１２の記憶部に記憶されているプログラムを実行することにより、第１ファン６１と第２ファン６２との回転数を異ならせ、第１空気及び第２空気の体積流量を制御するものであってもよい。第１空気及び第２空気の体積流量を制御することにより、空調機１の運転モードの種類を増加させることができる。
【００５７】
図１に示すとおり、分岐機構６は、顕熱交換器２よりも上方に設けられている。吸込経路２２は、吸込空気の流れ方向において、下方から上方に向かって設けられている。吸込経路２２は吸込流路５の一部を構成するため、吸込流路５は、吸込空気の流れ方向において、下方から上方に向かって設けられるものとなる。第１経路２１は、第１空気の流れ方向において、上方から下方に向かって設けられている。第１経路２１は第１流路３の一部を構成するため、第１流路３は、第１空気の流れ方向において、上方から下方に向かって設けられるものとなる。
【００５８】
分岐機構６は、下方から上方に向かって設けられる吸込流路５と、上方から下方に向かって設けられる第１流路３とによる折り返し地点に設けられている。図１においては、分岐機構６の近傍で流路が約２７０度折り返している部分が折り返し地点である。このように下方から上方に向かって設けられた吸込流路５と、上方から下方に向かって設けられた第１流路３により、Ｕ字状の流路が形成されるところ、当該Ｕ字状の流路における折り返し地点に、送風部を備える分岐機構６を設けることにより、Ｕ字状の流路における圧力損失の影響を緩和させることができる。分岐機構６は、顕熱交換器２よりも上方の折り返し地点に設けられている場合を説明したが、折り返し地点の範囲内に設けられれば圧損の緩和に寄与することができる。一例として、図１の吸込経路２２の出口に吸込部６１１及び吸込部６２１が隣接していてもよい。その場合、各ファンの吹出部６１２，６２２の方向および流路を第１経路２１方向、または第２吹出口４１方向へ規定する壁面などを設けることにより容易に変形が可能である。
【００５９】
（実施形態２）
図４は、実施形態２に係る分岐機構６（単一のターボファン６４及び分岐壁６５）の要部を示す説明図である。実施形態２の分岐機構６は、送風部が単一のターボファン６４によって構成され、分岐機構６が分岐壁６５を含む点で、実施形態１と異なる。
【００６０】
実施形態２の分岐機構６は、送風部、送風部を収納する分岐室６３及び、分岐室６３に設けられた分岐壁６５を含む。実施形態２の分岐機構６の送風部は、例えばターボファン６４等の遠心ファンである。
【００６１】
ターボファン６４は、円筒状を成し、中央に設けられた吸込部６４１と、円筒の外周面の全周に亘って設けられた吹出部６４２とを備える。ターボファン６４は、分岐機構６に流入した吸込空気を、吸込部６４１から吸込み、吹出部６４２から吹き出す。ターボファン６４の吹出部６４２は、外周面の全周に亘って設けられているため、ターボファン６４に吸い込まれた空気は、外周面の全周から放射状に吹き出される。
【００６２】
分岐室６３に設けられた分岐壁６５は、ターボファン６４が吹き出した空気を第１流路３側に分岐するための第１流路３方向に延びる分岐壁６５と、第２流路４側に分岐するための第２流路４方向に延びる分岐壁６５とを含む。
【００６３】
第１流路３の分岐壁６５は、紙面上、ターボファン６４の上側に設けられており、第１流路３の分岐壁６５の一端部は、第１流路３に設けられたガイド壁３２に接し、他端部は、ターボファン６４の上側の外周面に接することにより、ガイド壁３２とターボファン６４の上側の外周面とを架け渡すように設けられている。従って、第１流路３の分岐壁６５は、第１流路３の内壁の一部として構成される。
【００６４】
第２流路４の分岐壁６５は、紙面上、ターボファン６４の下側に設けられており、第２流路４の分岐壁６５の一端部は、第２吹出口４１に接し、他端部は、ターボファン６４の下側の外周面に接することにより、第２吹出口４１とターボファン６４の下側の外周面とを架け渡すように設けられている。従って、第２流路４の分岐壁６５は、第２流路４の内壁の一部として構成される。
【００６５】
第１流路３の分岐壁６５は、第１流路３と吸込流路５とを仕切る仕切板として機能するものであってもよい。更に、第２流路４の分岐壁６５は、第１流路３と吸込流路５とを仕切る仕切板として機能するものであってもよい。このように第１流路３の分岐壁６５及び第２流路４の分岐壁６５が仕切板として機能することにより、分岐機構６により分流された第１空気及び第２空気が、吸込流路５に逆流することを防止することができる。
【００６６】
第１流路３の分岐壁６５及び第２流路４の分岐壁６５は、円弧状の曲面を有し、曲面の凹部側をターボファン６４に向けて、設けられている。従って、ターボファン６４から吹き出された空気は、第１流路３の分岐壁６５及び第２流路４の分岐壁６５の曲面の凹部側に沿って、分流されるものとなり、通風抵抗を低減することができる。
【００６７】
分岐機構６の送風部を単一のターボファン６４にて構成することにより、分岐機構６の構造を簡素化し、空調機１の部品点数を削減することができる。
【００６８】
第１流路３の分岐壁６５と、第２流路４の分岐壁６５との間にターボファン６４を位置させて、ターボファン６４を挟み込むように第１流路３の分岐壁６５及び第２流路４の分岐壁６５を設けることにより、ターボファン６４の外周面から全周に亘って吹き出された空気を効率的に第１流路３及び第２流路４に分流することができる。
【００６９】
今回開示された実施形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【００７０】
１  空調機
１１  ポンプ
１２  コントローラ
１３  ドレンパン
１４  タンク
１５  筐体
１５１  キャスター
１６  散布部
１７  電気装置
１７１  電気部品
１７２  蓄電池
２  顕熱交換器
２１  第１経路
２２  吸込経路
３  第１流路
３１  第１吹出口（排気吹出口）
３２  ガイド壁
４  第２流路
４１  第２吹出口（給気吹出口）
５  吸込流路
５１  吸込口
５２  フィルタ  
６  分岐機構
６１  第１ファン（送風部、遠心ファン）
６１１  吸込部
６１２  吹出部
６２  第２ファン（送風部、遠心ファン）
６２１  吸込部
６２２  吹出部
６３  分岐室
６４  ターボファン（送風部、遠心ファン）
６４１  吸込部
６４２  吹出部
６５  分岐壁
【図１】
0006897722.tif 000002
【図２】
0006897722.tif 000003
【図３】
0006897722.tif 000004
【図４】
0006897722.tif 000005